(57)【要約】【課題】  ジャダ検出装置及びこれを用いるインターレース解除装置、並びにその方法を提供する。【解決手段】  本発明のジャダ検出装置は、順次に入力される偶数フィールド及び奇数フィールドの所定ピクセル値を用いてジャダパターンと類似のパターンの発生有無を検出するジャダ検出部、偶数フィールド及び奇数フィールドを用いて入力される映像が飛び越し走査線毎に均一なピクセル値を有し、連続する走査線間には均一なピクセル値の差が閾値を超えるブラインドパターンを有するか否かを検出するパターン検出部、及びブラインドパターンの検出有無を基づいて検出されたジャダパターンと類似のパターンがジャダであるか否かを決める決定部を含む。これにより、ブラインドパターンを有する入力映像からジャダが発生したと誤って判断することを防止することができ、精度よく入力映像のジャダ発生有無を検出してからインターレース解除を行うことにより、高画質の映像を提供することができる。【選択図】      図１
2006191601.tif 000002
【特許請求の範囲】
【請求項１】
順次に入力される偶数フィールド及び奇数フィールドの所定のピクセル値を用いてジャダ（ｊｕｄｄｅｒ）パターンと類似のパターンの発生有無を検出するジャダ検出部と;
前記偶数フィールド及び奇数フィールドを用いて前記入力される映像が飛び越し走査線毎に均一なピクセル値を有し、連続する走査線間には前記均一なピクセル値の差が閾値を超えるブラインドパターンを有するか否かを検出するパターン検出部;及び
前記ブラインドパターンの検出有無に基づいて前記検出されたジャダパターンと類似のパターンがジャダであるか否かを決める決定部とを含むことを特徴とするジャダ検出装置。
【請求項２】
前記ジャダ検出部は、
前記偶数フィールド及び奇数フィールドの連続する走査線から所定のピクセルを選び、前記選ばれた所定のピクセルの中間値を計算する第１の中間値フィルターと;
前記選ばれた所定のピクセルのうち、前記連続する走査線において中間に位置する走査線のピクセルのピクセル値と前記中間値との差値の絶対値を計算する第１の計算部;及び
前記絶対値と第１の閾値とを比べて前記絶対値が前記第１の閾値より大きい場合は、ジャダと類似のパターンが検出されたと判断する第１の比較部とを含むことを特徴とする請求項１に記載のジャダ検出装置。
【請求項３】
前記第１の比較部は、前記絶対値が第１の閾値より大きい場合、前記連続する走査線において中間に位置する走査線のピクセルにジャダが発生したと判断することを特徴とする請求項２に記載のジャダ検出装置。
【請求項４】
前記ジャダ検出部は、前記選ばれた所定のピクセルを用いて前記第１の閾値を計算する第１の設定部を更に含むことを特徴とする請求項３に記載のジャダ検出装置。
【請求項５】
前記第１の設定部は、
前記偶数フィールドのピクセルの平均値を計算する第１の平均値計算部と;
前記奇数フィールドのピクセルの平均値を計算する第２の平均値計算部;及び
前記第１の平均値計算部の値と前記第２の平均値計算部の値との差値の絶対値を計算し、該絶対値を前記第１の閾値と設定する第３の計算部とを含むことを特徴とする請求項４に記載のジャダ検出装置。
【請求項６】
前記第１の設定部は、前記絶対値と予め設定された所定値とを比べ、前記第１の閾値を補正する補正部を更に含むことを特徴とする請求項５に記載のジャダ検出装置。
【請求項７】
前記ジャダ検出部は、前記ジャダパターンと類似のパターンが検出されたと判断された場合、前記ジャダが検出されたピクセルの周辺の所定の領域にジャダが発生したと判断する拡張部を更に含むことを特徴とする請求項３に記載のジャダ検出装置。
【請求項８】
前記選ばれた所定のピクセルは、前記偶数フィールド及び奇数フィールドの水平走査線と所定の角度をなす方向に位置するピクセルであることを特徴とする請求項２に記載のジャダ検出装置。
【請求項９】
前記ジャダパターンと類似のパターンが検出された場合、前記検出されたジャダパターンと類似のパターンと予め設定されたノイズによるパターンとを比べ、前記ジャダが前記ノイズによって発生したか否かを判断する分析部を更に含むことを特徴とする請求項１に記載のジャダ検出装置。
【請求項１０】
前記パターン検出部は、
前記偶数フィールドの所定の走査線のピクセルが均一なピクセル値を有するか否かを検出する第１の走査線決定部と;
前記奇数フィールドの所定の走査線のピクセルが均一なピクセル値を有するか否かを検出する第２の走査線決定部と;
前記第１の走査線決定部で検出されるピクセルをカウントする第１のカウンターと;
前記第２の走査線決定部で検出されるピクセルをカウントする第２のカウンターと;
前記第１のカウンターでカウントされたピクセル数と第２の閾値とを比べ、前記偶数フィールドの所定の走査線が均一なピクセル値を有するか否かを判断する第３の比較部と;
前記第２のカウンターでカウントされたピクセル数と第３の閾値とを比べ、前記奇数フィールドの所定の走査線が均一なピクセル値を有するか否かを判断する第４の比較部;及び
前記偶数フィールドの所定の走査線及び前記奇数フィールドの所定の走査線が均一なピクセル値を有すると判断された場合、前記偶数フィールド及び奇数フィールドがブラインドを有すると判断する選択部とを含むことを特徴とする請求項１に記載のジャダ検出装置。
【請求項１１】
前記走査線決定部は、
前記所定の走査線の所定のピクセルを遅延させて第１の遅延ピクセルを出力する第１の遅延器と;
前記第１の遅延ピクセルを遅延させて第２の遅延ピクセルを出力する第２の遅延器と;
前記所定のピクセルと前記第１の遅延ピクセルのピクセル値の差値の絶対値を計算する第５の計算部と;
前記第１の遅延ピクセルと前記第２の遅延ピクセルのピクセル値の差値の絶対値を計算する第６の計算部と;
前記第２の遅延ピクセルと前記所定のピクセルのピクセル値の差値の絶対値を計算する第７の計算部と;
前記第５の計算部で計算された絶対値と第５の閾値とを比べ、前記所定のピクセルと前記第１の遅延ピクセルが均一なピクセル値を有するか否かを判断する第６の比較部と;
前記第６の計算部で計算された絶対値と第６の閾値とを比べ、前記第１の遅延ピクセルと前記第２の遅延ピクセルが均一なピクセル値を有するか否かを判断する第７の比較部;及び
前記第７の計算部で計算された絶対値と第７の閾値とを比べ、前記所定のピクセルと前記第２の遅延ピクセルが均一なピクセル値を有するか否かを判断する第８の比較部とを含むことを特徴とする請求項１０に記載のジャダ検出装置。
【請求項１２】
前記パターン検出部は、前記偶数フィールド及び前記奇数フィールドにおいて連続する走査線を用いて偶数フィールドのピクセル値と奇数フィールドのピクセル値との差値の絶対値と第４の閾値を比べ、前記偶数フィールドの走査線と前記奇数フィールドの走査線との間のピクセル値が異なるか否かを判断してブラインド判断信号を生成する第２の設定部を更に含むことを特徴とする請求項１０に記載のジャダ検出装置。
【請求項１３】
前記第２の設定部は、
前記偶数フィールドの走査線に位置するピクセル値の平均値を計算する第３の平均値計算部と;
前記奇数フィールドの走査線に位置するピクセル値の平均値を計算する第４の平均値計算部と;
前記第３の平均値計算部で計算された平均値と前記第４の平均値計算部で計算された平均値との差値の絶対値を計算する第４の計算部;及び
前記絶対値と前記第４の閾値とを比べ、絶対値が前記第４の閾値を超える場合、前記連続する走査線間のピクセル値が異なると判断してブラインド判断信号を生成する第５の比較部とを含むことを特徴とする請求項１２に記載のジャダ検出装置。
【請求項１４】
前記選択部は、前記連続する走査線間のピクセル値が異なると判断されて生成されたブラインドによって、前記偶数フィールド及び奇数フィールドがブラインドパターンを有するか否かを選択する選択部を更に含むことを特徴とする請求項１３に記載のジャダ検出装置。
【請求項１５】
順次に入力される偶数フィールド及び奇数フィールドの所定ピクセル値を用いてジャダパターンと類似のパターンの発生有無を検出するジャダ検出部と;
前記偶数フィールド及び奇数フィールドを用いて前記入力される映像が飛び越し走査線毎に均一なピクセル値を有し、連続する走査線間には前記均一なピクセル値の差が閾値を超えるブラインドパターンを有するか否かを検出するパターン検出部と;
前記ブラインドパターンの検出有無を基づいて前記検出されたジャダパターンと類似のパターンがジャダであるか否かを決める決定部;及び
前記決定部の決定に応じて前記偶数フィールド及び奇数フィールドの補間を行う補間部とを含むことを特徴とするインターレース解除装置。
【請求項１６】
前記補間部は、前記決定部で前記入力される映像にジャダが発生したと決めた場合、前記ジャダが発生したフィールドの補間として前記ジャダが発生したフィールド内のフィールド情報を用いて補間する空間補間（ｓｐａｔｉａｌ  ｉｎｔｅｒｐｏｌａｔｉｏｎ）を行うことを特徴とする請求項１５に記載のインターレース解除装置。
【請求項１７】
前記補間部は、前記決定部で前記入力される映像にジャダが発生していないと決めた場合、前記偶数フィールド及び奇数フィールドの情報を用いて出力映像を生成することを特徴とする請求項１５に記載のインターレース解除装置。
【請求項１８】
入力される映像をフィールド毎に保存するフィールドメモリーを更に含むことを特徴とする請求項１５に記載のインターレース解除装置。
【請求項１９】
（ａ）順次に入力される偶数フィールド及び奇数フィールドの所定ピクセル値を用いてジャダパターンと類似のパターンの発生有無を検出するステップと;
（ｂ）前記偶数フィールド及び奇数フィールドを用いて前記入力される映像が飛び越し走査線毎に均一なピクセル値を有し、連続する走査線間には前記均一なピクセル値の差が閾値を超えるブラインドパターンを有するか否かを検出するステップと;
（ｃ）前記ブラインドパターンの検出有無を基づいて前記検出されたジャダパターンと類似のパターンがジャダであるか否かを決めるステップ;及び
（ｄ）前記決定に応じて前記偶数フィールド及び奇数フィールドの補間を行うステップとを含むことを特徴とするインターレース解除方法。
【請求項２０】
前記（ａ）ステップは、
前記偶数フィールド及び奇数フィールドの連続する走査線から所定のピクセルを選び、前記選ばれた所定のピクセルの中間値を計算するステップと;
前記選ばれた所定のピクセルのうち、前記連続する走査線において中間に位置する走査線のピクセルのピクセル値と前記中間値との差値の絶対値を計算するステップ;及び
前記絶対値と第１の閾値とを比べて前記絶対値が前記第１の閾値より大きい場合は、ジャダと類似のパターンが検出されたと判断するステップとを含むことを特徴とする請求項１９に記載のインターレース解除方法。
【請求項２１】
前記ジャダ発生有無を判断するステップは、前記絶対値が第１の閾値より大きい場合、前記連続する走査線において中間に位置する走査線のピクセルにジャダが発生したと判断することを特徴とする請求項２０に記載のインターレース解除方法。
【請求項２２】
前記（ａ）ステップは、前記選ばれた所定のピクセルを用いて前記第１の閾値を計算するステップを更に含むことを特徴とする請求項２０に記載のインターレース解除方法。
【請求項２３】
前記第１の閾値を計算するステップは、前記選ばれた所定のピクセルからそれぞれ偶数フィールドのピクセルの平均値及び奇数フィールドのピクセルの平均値を計算するステップ;及び
前記偶数フィールドのピクセルの平均値と前記奇数フィールドのピクセルの平均値との差値の絶対値を計算し、該絶対値を前記第１の閾値と設定するステップとを含むことを特徴とする請求項２２に記載のインターレース解除方法。
【請求項２４】
前記第１の閾値を計算するステップは、前記絶対値と予め設定された所定値とを比べ、前記第１の閾値を補正するステップを更に含むことを特徴とする請求項２２に記載のインターレース解除方法。
【請求項２５】
前記（ａ）ステップは、前記ジャダパターンと類似のパターンが検出されたと判断された場合、前記ジャダが検出されたピクセル周辺の所定の領域にジャダが発生したと判断するステップを更に含むことを特徴とする請求項２０に記載のインターレース解除方法。
【請求項２６】
前記選ばれた所定のピクセルは、前記偶数フィールド及び奇数フィールドの水平走査線と一定の角度をなす方向に位置するピクセルであることを特徴とする請求項２０に記載のインターレース解除方法。
【請求項２７】
前記（ａ）ステップにおいて前記ジャダパターンと類似のパターンが検出された場合、前記検出されたジャダパターンと類似のパターンと予め設定されたノイズによるパターンとを比べ、前記ジャダが前記ノイズによって発生したか否かを判断するステップを更に含むことを特徴とする請求項１９に記載のインターレース解除方法。
【請求項２８】
前記（ｂ）ステップは、
前記偶数フィールド及び奇数フィールドの所定の走査線のピクセルが均一なピクセル値を有するか否かをそれぞれ検出するステップと;
前記偶数フィールド及び奇数フィールドの所定の走査線から検出されるピクセルをそれぞれカウントするステップと;
前記偶数フィールドの所定の走査線からカウントされたピクセルの数と第２の閾値とを比べ、前記奇数フィールドの所定の走査線からカウントされたピクセルの数と第３の閾値とを比べるステップ;及び
前記偶数フィールドの所定の走査線及び前記奇数フィールドの所定の走査線とそれぞれ前記第２の閾値及び前記第３の閾値より大きい値を有することにより均一なピクセル値を有すると判断された場合、前記偶数フィールド及び奇数フィールドはブラインドを有すると判断するステップとを含むことを特徴とする請求項１９に記載のインターレース解除方法。
【請求項２９】
前記均一なピクセル値を有するか否かを決めるステップは、
前記所定の走査線の所定のピクセルを遅延させて第１の遅延ピクセルを出力し、前記第１の遅延ピクセルを遅延させて第２の遅延ピクセルを出力するステップと;
前記所定のピクセルと前記第１の遅延ピクセルのピクセル値の差値の絶対値である第１の絶対値、前記第１の遅延ピクセルと前記第２の遅延ピクセルのピクセル値の差値の絶対値である第２の絶対値、及び前記第２の遅延ピクセルと前記所定のピクセルのピクセル値の差値の絶対値である第３の絶対値を計算するステップ;及び
前記第１の絶対値、第２の絶対値、及び第３の絶対値と閾値をそれぞれ比べた後、前記所定のピクセルと前記第１の遅延ピクセルが均一なピクセル値を有するか否か、前記第１の遅延ピクセルと前記第２の遅延ピクセルが均一なピクセル値を有するか否か、及び前記所定のピクセルと前記第２の遅延ピクセルが均一なピクセル値を有するか否かを判断するステップとを含むことを特徴とする請求項２８に記載のインターレース解除方法。
【請求項３０】
前記（ｂ）ステップは、前記偶数フィールド及び奇数フィールドの連続する走査線を用いて偶数フィールドのピクセル値と奇数フィールドのピクセル値との差値と第４の閾値を比べ、前記連続する走査線間のピクセル値が異なるか否かを判断してブラインド判断信号を生成するステップを更に含むことを特徴とする請求項２８に記載のインターレース解除方法。
【請求項３１】
前記連続する走査線間のピクセル値が異なるか否かを判断するステップは、
前記偶数フィールドの走査線に位置するピクセル値の平均値及び前記奇数フィールドの走査線に位置するピクセル値の平均値を計算するステップと;
前記偶数フィールドの走査線に位置するピクセル値の平均値と前記奇数フィールドの走査線に位置するピクセル値の平均値との差値の絶対値を計算するステップ;及び
前記絶対値と前記第４の閾値を比べ、絶対値が前記第４の閾値を超える場合、前記連続する走査線間のピクセル値が異なると判断してブラインド判断信号を生成するステップとを含むことを特徴とする請求項３０に記載のインターレース解除方法。
【請求項３２】
前記（ｂ）ステップは、前記連続する走査線間のピクセル値が異なると判断され生成されたブラインドによって前記偶数フィールド及び奇数フィールドがブラインドパターンを有するか否かを選ぶことを特徴とする請求項３１に記載のインターレース解除方法。
【請求項３３】
前記（ｄ）ステップは、前記（ｃ）ステップにおいて前記入力される映像にジャダが発生したと決めた場合、前記ジャダが発生したフィールドの補間として前記ジャダが発生したフィールド内のフィールド情報を用いて補間する空間補間を行うことを特徴とする請求項１９に記載のインターレース解除方法。
【請求項３４】
前記（ｄ）ステップは、前記（ｃ）ステップにおいて前記入力される映像にジャダが発生していないと決めた場合、前記偶数フィールド及び奇数フィールドの情報を用いて出力映像を生成することを特徴とする請求項１９に記載のインターレース解除方法。
【発明の詳細な説明】
【技術分野】
【０００１】
本発明は、ジャダ検出装置及びこれを用いるインターレース解除装置、並びにその方法に関し、より詳しくは、入力映像がブラインドパターンを有するか否かを検出し、映像がブラインドパターンを有する場合にはジャダと判断しないジャダ検出装置及びこれを用いるインターレース解除装置、並びにその方法に関する。
【背景技術】
【０００２】
ブラインドパターンとは、順次に入力される映像において飛び越し走査線毎に均一なピクセル値を有し、連続する走査線間にはピクセル値の差のため出力映像がブラインド形態と類似のパターンを示すことをいう。
【０００３】
近年、デジタルＴＶ技術の開発とＰＤＰ  ＴＶ、そしてＤＬＰ、ＬＣＤ、ＬＣｏＳを用いたプロジェクションＴＶなどの大画面のディスプレー装置の開発に伴い、ＨＤ級の高画質の映像が鑑賞できるようになった。このようなデジタル映像機器の普及が拡大するにつれて既存のＴＶのようなアナログ映像機器とデジタル映像機器とが共存する環境が一般化されつつある。
【０００４】
従って、既存のアナログＮＴＳＣ画面やＳＤ（スタンダードデフィニション）標準画質画面に対する処理も必要な状態になってきた。一般に、既存のアナログＴＶの映像は、飛び越し走査方式を採択しており、これを、高画質画面に対応させるためには、解像度または走査率の向上が必須である。このためには、飛び越し走査方式を順次走査方式に変換することが有効である。
【０００５】
この時、既存の飛び越し走査方式の映像にない映像ラインを生成し順次走査方式の映像に変換して表示することを一般にインターレース解除という。
【０００６】
ここで、飛び越し走査方式と順次走査方式は、フレームの構成方式によって分けられ、飛び越し走査方式は、１枚の映像を奇数行だけの画像と偶数行だけの画像とに分けて、それを交互に表示して１枚の映像にする方式であって、奇数行だけのフィールドを奇数フィールド、偶数行だけのフィールドを偶数フィールドといい、２フィールドで１フレームを構成する。
【０００７】
一方、順次走査方式は、プログレッシブ方式ともいい、１枚の画像を分けることなく１フレームずつ順次に表示させる方式であって、飛び越し走査方式に比べて画面のチラツキ（フリッカリング）が少ない。
【０００８】
一方、飛び越し走査方式を順次走査方式に変換するインターレース解除方法は、動き情報や映像のフォーマット変換情報を用いて、フィールド内の情報を用いて補間する空間補間と、連続して入力されるフィールドの情報を用いて補間する時間補間の切り替えを基本とする方法が主流をなしている。
【０００９】
一般に、連続する２フィールドの結合によって映像を生成するフィルムモードまたは静止領域で時間補間方法を使う。しかし、誤ったフィルム情報を用いて時間補間方法を使う場合、即ち、入力映像がフィルムモードでないにもかかわらず順次に入力される２フィールドを結合して出力映像を生成する場合、あるいは動領域で順次に入力される２フィールドを結合して出力映像を生成する場合には、動領域の周辺でジャダが発生する。
【００１０】
この時、ジャダは、画面上では平均的に直線状に表示されるが、微視的には映像の線がジグザグ模様に表示されることをいう。入力映像において映像の動きによってジャダが検出される場合、入力映像がフィルムモードと判別され連続して入力されるフィールドを結合して出力映像を生成すれば、画質の劣化を招く。即ち、入力映像においてジャダが検出される場合には、連続して入力されるフィールドを結合して出力映像を生成すれば、画質の劣化を招き得る。
【００１１】
そして、入力映像がノイズ、ブラインドパターンなどによってジャダパターンと類似のパターンを有する場合、この入力映像をジャダと誤って検出することによって、連続して入力されるフィールドを結合して出力映像を生成せずに時間補間によって出力映像を生成する時にも画質の劣化を招き得る。
【発明の開示】
【発明が解決しようとする課題】
【００１２】
従って、本発明の上述の問題点を解決するためになされたものであって、その目的として、入力映像がブラインドパターンを有することによって発生するジャダ検出エラーを防止するジャダ検出装置、及びこれを用いるインターレース解除装置、並びにその方法を提供することにある。
【課題を解決するための手段】
【００１３】
前記目的を達成するための本発明に係るジャダ検出装置は、順次に入力される偶数フィールド及び奇数フィールドの所定のピクセル値を用いてジャダパターンと類似のパターンの発生有無を検出するジャダ検出部と、偶数フィールド及び奇数フィールドを用いて入力される映像が飛び越し走査線毎に均一なピクセル値を有し、連続する走査線間には均一なピクセル値の差が閾値を超えるブラインドパターンを有するか否かを検出するパターン検出部、及びブラインドパターンの検出有無に基づいて検出されたジャダパターンと類似のパターンがジャダであるか否かを決める決定部とを含む。
【００１４】
好ましくは、ジャダ検出部は、偶数フィールド及び奇数フィールドの連続する走査線から所定のピクセルを選び、選ばれた所定のピクセルの中間値を計算する第１の中間値フィルターと、選ばれた所定のピクセルのうち、連続する走査線において中間に位置する走査線のピクセルのピクセル値と中間値との差値の絶対値を計算する第１の計算部、及び絶対値と第１の閾値とを比べて絶対値が第１の閾値より大きい場合は、ジャダと類似のパターンが検出されたと判断する第１の比較部と、を含む。
【００１５】
ここで、第１の比較部は、絶対値が第１の閾値より大きい場合、連続する走査線において中間に位置する走査線のピクセルにジャダが発生したと判断する。
【００１６】
好ましくは、ジャダ検出部は、選ばれた所定のピクセルを用いて第１の閾値を計算する第１の設定部を更に含む。
【００１７】
また好ましくは、第１の設定部は、偶数フィールドのピクセルの平均値を計算する第１の平均値計算部と、奇数フィールドのピクセルの平均値を計算する第２の平均値計算部、及び第１の平均値計算部の値と第２の平均値計算部の値との差値の絶対値を計算し、絶対値を第１の閾値と設定する第３の計算部とを含む。
【００１８】
好ましくは、第１の設定部は、絶対値と予め設定された所定値とを比べ、第１の閾値を補正する補正部を更に含む。
【００１９】
また好ましくは、ジャダ検出部は、ジャダパターンと類似のパターンが検出されたと判断された場合、ジャダが検出されたピクセルの周辺の所定の領域にジャダが発生したと判断する拡張部を更に含む。
【００２０】
ここで、選ばれた所定のピクセルは、偶数フィールド及び奇数フィールドの水平走査線と所定の角度をなす方向に位置するピクセルである。
【００２１】
好ましくは、ジャダパターンと類似のパターンが検出された場合、検出されたジャダパターンと類似のパターンと予め設定されたノイズによるパターンとを比べ、ジャダがノイズによって発生したか否かを判断する分析部を更に含む。
【００２２】
また好ましくは、パターン検出部は、偶数フィールドの所定の走査線のピクセルが均一なピクセル値を有するか否かを検出する第１の走査線決定部と、奇数フィールドの所定の走査線のピクセルが均一なピクセル値を有するか否かを検出する第２の走査線決定部と、第１の走査線決定部で検出されるピクセルをカウントする第１のカウンターと、第２の走査線決定部で検出されるピクセルをカウントする第２のカウンターと、第１のカウンターでカウントされたピクセル数と第２の閾値とを比べ、偶数フィールドの所定の走査線が均一なピクセル値を有するか否かを判断する第３の比較部と、第２のカウンターでカウントされたピクセル数と第３の閾値とを比べ、奇数フィールドの所定の走査線が均一なピクセル値を有するか否かを判断する第４の比較部、及び偶数フィールドの所定の走査線及び奇数フィールドの所定の走査線が均一なピクセル値を有すると判断された場合、偶数フィールド及び奇数フィールドがブラインドを有すると判断する選択部とを含む。
【００２３】
好ましくは、走査線決定部は、所定の走査線の所定のピクセルを遅延させて第１の遅延ピクセルを出力する第１の遅延器と、第１の遅延ピクセルを遅延させて第２の遅延ピクセルを出力する第２の遅延器と、所定のピクセルと第１の遅延ピクセルのピクセル値の差値の絶対値を計算する第５の計算部と、第１の遅延ピクセルと第２の遅延ピクセルのピクセル値の差値の絶対値を計算する第６の計算部と、第２の遅延ピクセルと所定のピクセルのピクセル値の差値の絶対値を計算する第７の計算部と、第５の計算部で計算された絶対値と第５の閾値とを比べ、所定のピクセルと第１の遅延ピクセルが均一なピクセル値を有するか否かを判断する第６の比較部と、第６の計算部で計算された絶対値と第６の閾値とを比べ、第１の遅延ピクセルと第２の遅延ピクセルが均一なピクセル値を有するか否かを判断する第７の比較部、及び第７の計算部で計算された絶対値と第７の閾値とを比べ、所定のピクセルと第２の遅延ピクセルが均一なピクセル値を有するか否かを判断する第８の比較部とを含む。
【００２４】
好ましくは、パターン検出部は、偶数フィールド及び奇数フィールドにおいて連続する走査線を用いて偶数フィールドのピクセル値と奇数フィールドのピクセル値との差値の絶対値と第４の閾値を比べ、偶数フィールドの走査線と奇数フィールドの走査線との間のピクセル値が異なるか否かを判断してブラインド判断信号を生成する第２の設定部を更に含む。
【００２５】
また好ましくは、第２の設定部は、偶数フィールドの走査線に位置するピクセル値の平均値を計算する第３の平均値計算部と、奇数フィールドの走査線に位置するピクセル値の平均値を計算する第４の平均値計算部と、第３の平均値計算部で計算された平均値と第４の平均値計算部で計算された平均値との差値の絶対値を計算する第４の計算部、及び絶対値と第４の閾値とを比べ、絶対値が第４の閾値を超える場合、連続する走査線間のピクセル値が異なると判断してブラインド判断信号を生成する第５の比較部とを含む。
【００２６】
好ましくは、選択部は、連続する走査線間のピクセル値が異なると判断されて生成されたブラインドによって、偶数フィールド及び奇数フィールドがブラインドパターンを有するか否かを選択する選択部を更に含む。
【００２７】
一方、本発明に係るジャダ検出装置を用いるインタレース解除装置は、順次に入力される偶数フィールド及び奇数フィールドの所定ピクセル値を用いてジャダパターンと類似のパターンの発生有無を検出するジャダ検出部と、偶数フィールド及び奇数フィールドを用いて入力される映像が飛び越し走査線毎に均一なピクセル値を有し、連続する走査線間には均一なピクセル値の差が閾値を超えるブラインドパターンを有するか否かを検出するパターン検出部と、ブラインドパターンの検出有無を基づいて検出されたジャダパターンと類似のパターンがジャダであるか否かを決める決定部、及び決定部の決定に応じて偶数フィールド及び奇数フィールドの補間を行う補間部と、を含む。
【００２８】
好ましくは、補間部は、決定部で入力される映像にジャダが発生したと決めた場合、ジャダが発生したフィールドの補間としてジャダが発生したフィールド内のフィールド情報を用いて補間する空間補間を行う。
【００２９】
そして、補間部は、決定部で入力される映像にジャダが発生していないと決めた場合、偶数フィールド及び奇数フィールドの情報を用いて出力映像を生成する。
【００３０】
好ましくは、入力される映像をフィールド毎に保存するフィールドメモリーを更に含む。
【００３１】
一方、本発明に係るインターレース解除方法は、（ａ）順次に入力される偶数フィールド及び奇数フィールドの所定ピクセル値を用いてジャダパターンと類似のパターンの発生有無を検出するステップと、（ｂ）偶数フィールド及び奇数フィールドを用いて入力される映像が飛び越し走査線毎に均一なピクセル値を有し、連続する走査線間には均一なピクセル値の差が閾値を超えるブラインドパターンを有するか否かを検出するステップと、（ｃ）ブラインドパターンの検出有無を基づいて検出されたジャダパターンと類似のパターンがジャダであるか否かを決めるステップ、及び（ｄ）決定に応じて偶数フィールド及び奇数フィールドの補間を行うステップと、を含む。
【００３２】
好ましくは、（ａ）ステップは、偶数フィールド及び奇数フィールドの連続する走査線から所定のピクセルを選び、選ばれた所定のピクセルの中間値を計算するステップと、選ばれた所定のピクセルのうち、連続する走査線において中間に位置する走査線のピクセルのピクセル値と中間値との差値の絶対値を計算するステップ、及び絶対値と第１の閾値とを比べて絶対値が第１の閾値より大きい場合は、ジャダと類似のパターンが検出されたと判断するステップとを含む。
【００３３】
また好ましくは、ジャダ発生有無を判断するステップは、絶対値が第１の閾値より大きい場合、連続する走査線において中間に位置する走査線のピクセルにジャダが発生したと判断する。
【００３４】
好ましくは、（ａ）ステップは、選ばれた所定のピクセルを用いて第１の閾値を計算するステップを更に含む。
【００３５】
そして、好ましくは、第１の閾値を計算するステップは、選ばれた所定のピクセルからそれぞれ偶数フィールドのピクセルの平均値及び奇数フィールドのピクセルの平均値を計算するステップ、及び偶数フィールドのピクセルの平均値と奇数フィールドのピクセルの平均値との差値の絶対値を計算し、絶対値を第１の閾値と設定するステップとを含む。
【００３６】
好ましくは、第１の閾値を計算するステップは、絶対値と予め設定された所定値とを比べ、第１の閾値を補正するステップを更に含む。
【００３７】
また好ましくは、（ａ）ステップは、ジャダパターンと類似のパターンが検出されたと判断された場合、ジャダが検出されたピクセル周辺の所定の領域にジャダが発生したと判断するステップを更に含む。
【００３８】
ここで、選ばれた所定のピクセルは、偶数フィールド及び奇数フィールドの水平走査線と一定の角度をなす方向に位置するピクセルである。
【００３９】
好ましくは、（ａ）ステップにおいてジャダパターンと類似のパターンが検出された場合、検出されたジャダパターンと類似のパターンと予め設定されたノイズによるパターンとを比べ、ジャダがノイズによって発生したか否かを判断するステップを更に含む。
【００４０】
また好ましくは、（ｂ）ステップは、偶数フィールド及び奇数フィールドの所定の走査線のピクセルが均一なピクセル値を有するか否かをそれぞれ検出するステップと、偶数フィールド及び奇数フィールドの所定の走査線から検出されるピクセルをそれぞれカウントするステップと、偶数フィールドの所定の走査線からカウントされたピクセルの数と第２の閾値とを比べ、奇数フィールドの所定の走査線からカウントされたピクセルの数と第３の閾値とを比べるステップ、及び偶数フィールドの所定の走査線及び奇数フィールドの所定の走査線とそれぞれ第２の閾値及び第３の閾値より大きい値を有することにより均一なピクセル値を有すると判断された場合、偶数フィールド及び奇数フィールドはブラインドを有すると判断するステップとを含む。
【００４１】
好ましくは、均一なピクセル値を有するか否かを決めるステップは、所定の走査線の所定のピクセルを遅延させて第１の遅延ピクセルを出力し、第１の遅延ピクセルを遅延させて第２の遅延ピクセルを出力するステップと、所定のピクセルと第１の遅延ピクセルのピクセル値の差値の絶対値である第１の絶対値、第１の遅延ピクセルと第２の遅延ピクセルのピクセル値の差値の絶対値である第２の絶対値、及び第２の遅延ピクセルと所定のピクセルのピクセル値の差値の絶対値である第３の絶対値を計算するステップ、及び第１の絶対値、第２の絶対値、及び第３の絶対値と閾値をそれぞれ比べた後、所定のピクセルと第１の遅延ピクセルが均一なピクセル値を有するか否か、第１の遅延ピクセルと第２の遅延ピクセルが均一なピクセル値を有するか否か、及び所定のピクセルと第２の遅延ピクセルが均一なピクセル値を有するか否かを判断するステップとを含む。
【００４２】
好ましくは、（ｂ）ステップは、偶数フィールド及び奇数フィールドの連続する走査線を用いて偶数フィールドのピクセル値と奇数フィールドのピクセル値との差値と第４の閾値を比べ、連続する走査線間のピクセル値が異なるか否かを判断してブラインド判断信号を生成するステップを更に含む。
【００４３】
また好ましくは、連続する走査線間のピクセル値が異なるか否かを判断するステップは、偶数フィールドの走査線に位置するピクセル値の平均値及び奇数フィールドの走査線に位置するピクセル値の平均値を計算するステップと、偶数フィールドの走査線に位置するピクセル値の平均値と奇数フィールドの走査線に位置するピクセル値の平均値との差値の絶対値を計算するステップ、及び絶対値と第４の閾値を比べ、絶対値が第４の閾値を超える場合、連続する走査線間のピクセル値が異なると判断してブラインド判断信号を生成するステップとを含む。
【００４４】
好ましくは、（ｂ）ステップは、連続する走査線間のピクセル値が異なると判断され生成されたブラインドによって偶数フィールド及び奇数フィールドがブラインドパターンを有するか否かを選ぶ。
【００４５】
また好ましくは、（ｄ）ステップは、（ｃ）ステップにおいて入力される映像にジャダが発生したと決めた場合、ジャダが発生したフィールドの補間としてジャダが発生したフィールド内のフィールド情報を用いて補間する空間補間を行う。
【００４６】
そして、（ｄ）ステップは、（ｃ）ステップにおいて入力される映像にジャダが発生していないと決めた場合、偶数フィールド及び奇数フィールドの情報を用いて出力映像を生成する。
【発明の効果】
【００４７】
以上で説明したように、本発明によれば、ブラインドパターンを有する入力映像にジャダが発生したと誤って判断することを防止する。
【００４８】
そして、精度よく入力映像のジャダ発生有無を検出した後、インターレース解除を行うことで高画質の映像を提供することができる。
【発明を実施するための最良の形態】
【００４９】
以下、図面を参照して、本発明についてより詳細に説明する。
（実施形態）
【００５０】
図１は、本発明の一実施形態に係るジャダ検出装置７００を含むインターレース解除装置のブロック図である。同図を参照するに、本発明のジャダ検出装置７００は、ジャダ検出部２００と、分析部３００と、パターン検出部４００、及び決定部５００とを含む。そして、ジャダ検出装置７００を用いるインターレース解除装置は、ジャダ検出装置７００の他にフィールドメモリー１００、及び補間部６００を更に含む。
【００５１】
まず、ジャダ検出装置７００のジャダ検出部２００は、順次に入力される２フィールドである偶数フィールド及び奇数フィールドにおいてジャダと類似のパターンを有するピクセルが存在するか否かを検出する。この時、偶数フィールド及び奇数フィールドの連続する走査線における所定のピクセルを用いてピクセル毎にジャダと類似のパターンを有するか否かを検出する。
【００５２】
分析部３００は、ジャダ検出部２００で検出されたジャダパターンと類似のパターンを有するピクセルがノイズによって発生したか否かを判断する。即ち、分析部３００は、ノイズによるパターンを予め記憶しておき、検出されるジャダパターンと類似のパターンを該予め記憶しておいたノイズによるパターンと比べる。
【００５３】
パターン検出部４００は、偶数フィールド及び奇数フィールドがブラインドパターンを有するか否かを検出する。偶数フィールドの所定の走査線が均一なピクセル値を有し、奇数フィールドも所定の走査線が均一なピクセル値を有し、偶数フィールドの均一なピクセル値と奇数フィールドの均一なピクセル値の差が所定値を超える場合、入力映像である偶数フィールド及び奇数フィールドがブラインドパターンを有すると判断する。ここで、ブラインドパターンは、入力映像において飛び越し走査線毎に均一なピクセル値を有し、連続する走査線間にはピクセル値の差があって出力映像がブラインド形態を有することをいう。
【００５４】
決定部５００は、パターン検出部４００及び分析部３００での結果を用いて入力映像のピクセル毎にジャダ有無を決める。入力映像からブラインドパターンが検出された場合、入力映像がジャダと類似のパターンを有すると判断しても、それをジャダと判断することはない。
【００５５】
インターレース解除装置は、ジャダ検出装置７００の他にフィールドメモリー１００、及び補間部６００を更に含む。
【００５６】
フィールドメモリー１００は、入力される映像をフィールド毎に保存する。
【００５７】
補間部６００は、フィルムモード判別部（図示せず）での決定に応じて映像の補間を行う。即ち、フィルムモード判別部（図示せず）が入力映像をフィルムモードと判断した場合には、順次に入力される偶数フィールド及び奇数フィールドを用いて補間を行う。即ち、連続する偶数フィールドと奇数フィールドを結合することで出力映像を生成する。
【００５８】
しかし、入力映像をフィルムでもないと判断した場合には、単純に連続する２フィールドを結合して出力映像を生成することにより発生するジャダを防止するために、補間すべきフィールド内のフィールド情報を用いて補間する空間補間方法を用いて補間を行う。
【００５９】
図２は、図１のジャダ検出装置７００のジャダ検出部２００のブロック図である。同図を参照するに、本発明に係るジャダ検出部２００は、第１の中間値フィルター２０１と、第１の計算部２０３、及び第１の比較部２０５とを含む。
【００６０】
まず、第１の中間値フィルター２０１は、フィールドメモリー１００から順次に入力される偶数フィールド及び奇数フィールドにおける連続する３本の走査線からそれぞれピクセルを選び、選ばれた３つのピクセル値の中間値を計算する。即ち、連続する３本の走査線が、第１の偶数フィールド走査線、第１の奇数フィールド走査線、第２の偶数フィールド走査線であるか、第１の奇数フィールド走査線、第１の偶数フィールド走査線、第２の奇数フィールド走査線であればよい。
【００６１】
この時、３つのピクセル値は、連続する３本の走査線において同じ位置にあるピクセルであればよい。または、連続する３本の走査線のうち１番目走査線のピクセル位置から位置値が漸増するように３つのピクセルを選んでもよく、位置値が漸減するように３つのピクセルを選んでもよい。
【００６２】
これは、ジャダの発生する可能性の高い方向に沿って３つのピクセルを選ぶようにする。即ち、水平走査線と一定の角度をなす方向に位置するピクセルを選ぶ。そして、選ぶピクセル数は、任意の数であり、奇数個のピクセルを選ぶことがジャダ検出を計算する上で容易である。
【００６３】
第１の計算部２０３は、第１の中間値フィルター２０１から入力される３つのピクセル値の中間値と２番目走査線のピクセル値との差値の絶対値を計算する。即ち、３本の走査線のうち中間に位置する２番目走査線である第１の奇数フィールド走査線または第１の偶数フィールドの走査線のピクセル値と中間値との差値の絶対値を計算する。３ピクセル値の中間値と２番目走査線のピクセル値との差値が小さい場合は、３つのピクセルの値が類似であると判断することができ、２番目走査線のピクセルは、ジャダと類似のパターンを有していないと判断することができるためである。
【００６４】
第１の比較部２０５は、第１の計算部２０３から入力される３つのピクセル値の中間値とフィールドの２番目走査線のピクセル値との差値の絶対値と第１の閾値Ｔｈ１とを比べる。絶対値が第１の閾値より大きい場合は、ジャダと類似のパターンが発生したと判断することができ、差値の絶対値が第１の閾値Ｔｈ１より小さい場合は、ジャダと類似のパターンが発生していないと判断することができる。そして、差値の絶対値と第１の閾値Ｔｈ１とを比べ、第１の閾値Ｔｈ１が差値の絶対値より小さい場合、ジャダ発生判断信号を生成して分析部３００へ出力する。
【００６５】
図３Ａは、図１に示すジャダ検出装置７００の別のジャダ検出部２００のブロック図である。同図は、図２が偶数フィールド及び奇数フィールドの連続する３本の走査線を用いて予め設定された第１の閾値Ｔｈ１によってジャダ発生有無を検出する場合とは異なり、多数の走査線を用いる場合である。そして、図３ａは、多数本の走査線のピクセル値を用いて計算された第１の閾値Ｔｈ１を用いてジャダ発生有無を検出する。
【００６６】
図３Ａを参照するに、本発明に係る別のジャダ検出部２００は、連続する第１ないし第３の走査線であるＬｉ−１、Ｌｉ、Ｌｉ＋１を用いてジャダ発生有無を検出する第１の中間値フィルター２０１と、第１の計算部２０３、及び第１の比較部２０５とを含む。そして、連続する第２ないし第４の走査線であるＬｉ、Ｌｉ＋１、Ｌｉ＋２を用いるジャダ発生有無を検出する第２の中間値フィルター２０７と、第２の計算部２０９、及び第２の比較部２１１とを含む。
【００６７】
ここで、第１の中間値フィルター２０１と、第１の計算部２０３、及び第１の比較部２０５は、図２を参照して上述した通りである。そして、第２の中間値フィルター２０７と、第２の計算部２０９、及び第２の比較部２１１は、ジャダ発生有無の検出時に用いられる走査線が異なるだけで、その動作は、第１の中間値フィルター２０１と、第１の計算部２０３、及び第１の比較部２０５の動作と同一である。
【００６８】
一方、ジャダ検出部２００は、第１の比較部２０５及び第２の比較部２１１で用いられる第１の閾値Ｔｈ１を計算する第１の設定部２５０を含む。ここで、第１の設定部２０５は、第１の平均値計算部２１３と、第２の平均値計算部２１５と、第３の計算部２１７、及び補正部２１９とを備える。
【００６９】
第１の平均値計算部２１３は、第１の中間値フィルター２０１及び第２の中間値フィルター２０７に入力される４本の走査線のうち同一のフィールド、即ち、偶数フィールド及び奇数フィールドのいずれかから選ばれた２本の走査線からそれぞれ選ばれるピクセル値の第１の平均値を計算する。そして、第２の平均値計算部２１５は、４本の走査線のうち第１の平均値計算部２１３が選んだ走査線以外の２本の走査線からそれぞれ選ばれるピクセル値の第２の平均値を計算する。
【００７０】
第３の計算部２１７は、第１の平均値計算部２１３で計算された第１の平均値と第２の平均値計算部２１５で計算された第２の平均値との差値の絶対値を計算し、第１の閾値Ｔｈ１を決める。偶数フィールドにおける連続する２本の走査線から選ばれたピクセル値の平均値と、偶数フィールドに連続して入力される奇数フィールドにおける連続する２本の走査線から選ばれたピクセル値の平均値との差値は、ジャダと判断できないほどのピクセル間の差値とみてもよい。従って、第１の平均値と第２の平均値との差値を、第１の閾値Ｔｈ１と決めればよい。
【００７１】
補正部２１９は、第３の計算部２１７で計算された第１の閾値Ｔｈ１がジャダ検出の誤りをもたらすほどの値と決められた場合に第１の閾値Ｔｈ１を補正する。補正部２１９で補正された第１の閾値Ｔｈ１は、第１の比較部２０５及び第２の比較部２１１へ出力され、ジャダの検出時に用いられる。
【００７２】
拡張部２２１は、ジャダが発生した領域の周辺領域ではジャダが発生する可能性が高いため、第１の比較部２０５及び第２の比較部２１１からジャダが検出された場合、該ジャダが検出された領域の周辺領域もジャダ発生領域と判断する。
【００７３】
図３Ｂ及び図３Ｃは、図３Ａのジャダ検出部２００の動作を詳細に説明するための図である。図３Ｂは、ジャダ検出部２００の第１の中間値フィルター２１０及び第２の中間値フィルター２０７において用いられる走査線のピクセルを示す図である。そして、図３Ｃは、図３Ｂのピクセルを垂直方向に並べた図である。
【００７４】
この時、（１）は、Ｌｉ走査線に対して垂直方向であり、（２）は、Ｌｉ走査線を基準にして反時計回りに１３５°の方向であり、（３）は、Ｌｉ走査線を基準にして反時計回りに４５°の方向である。そして、Ｌｉ−１とＬｉ＋１とが同じフィールドの走査線であり、ＬｉとＬｉ＋２とが同じフィールドの走査線である。例えば、Ｌｉ−１とＬｉ＋１とが偶数フィールドにおいて連続する走査線であれば、ＬｉとＬｉ＋２とが奇数フィールドにおいて連続する走査線である。
【００７５】
図３Ｂを参照するに、第１の中間値フィルター２０１で中間値を計算する時に用いるピクセルは、連続する第１ないし第３の走査線であるＬｉ−１、Ｌｉ、Ｌｉ＋１からそれぞれ選ばれる３つのピクセルの方向によって様々に変わる。Ｌｉ走査線に対して垂直方向に並ぶ３つのピクセルを選ぶ場合、Ａピクセル、０ピクセル、及びＸピクセルを用いて中間値を計算し、Ｌｉ走査線に対して反時計回りに１３５°の方向に並ぶ３つのピクセルを選ぶ場合、Ａ−１ピクセル、０ピクセル、及びＸ＋１ピクセルを用いて中間値を計算する。そして、Ｌｉ走査線に対して反時計回りに４５°の方向に並ぶ３つのピクセルを選ぶ場合、Ａ＋１ピクセル、０ピクセル、Ｘ−１ピクセルを用いて中間値を計算する。
【００７６】
一般にジャダが発生する可能性の高い方向は、Ｌｉ走査線に対して垂直方向であるため、Ａピクセル、０ピクセル、Ｘピクセルを用いてジャダを検出する動作を説明すれば、次の通りである。
【００７７】
第１の中間値フィルター２０１は、Ａピクセル値、０ピクセル値、及びＸピクセル値の中間値を計算し、第１の計算部２０３は、第１の中間値フィルター２０１で計算された中間値と実際の中心ピクセルである０ピクセル値との差値の絶対値を計算する。そして、第１の比較部２０５は、絶対値と第１の閾値Ｔｈ１とを比べ、絶対値が第１の閾値Ｔｈ１より大きい場合は、ジャダが発生したと判断してジャダ発生判断信号を出力する。
【００７８】
この時、第１の閾値Ｔｈ１は、図２を参照して上述したように、ユーザーが予め設定することができ、図３Ａを参照して上述したように、第１の設定部２５０で入力される走査線の各ピクセル値を用いて計算した後、第１の比較部２０５及び第２の比較部２１１へ出力することができる。
【００７９】
一方、第２の中間値フィルター２０７で中間値を計算する時に用いるピクセルは、第１の中間値フィルター２１０の場合と同様に、連続する第２ないし第４の走査線であるＬｉ、Ｌｉ＋１、Ｌｉ＋２からそれぞれ選ばれる３つのピクセルの方向によって様々に変わる。Ｌｉ走査線に対して垂直方向に並ぶ３つのピクセルを選ぶ場合、０ピクセル、Ｘピクセル、及びＹピクセルを用いて中間値を計算し、Ｌｉ走査線に対して反時計回りに１３５°の方向に並ぶ３つのピクセルを選ぶ場合、０ピクセル、Ｘ＋１、及びＹ＋２ピクセルを用いて中間値を計算する。そして、Ｌｉ走査線に対して反時計回りに４５°の方向に並ぶ３つのピクセルを選ぶ場合、０ピクセル、Ｘ−１ピクセル、及びＹ−２ピクセルを用いて中間値を計算する。
【００８０】
この時、第１の中間値フィルター２０１及び第２の中間値フィルター２０７で計算する時に用いるピクセルが、Ｌｉ走査線に対して垂直方向、反時計回りに４５°、１３５°である場合を例に挙げて説明したが、ジャダが発生し得る方向は、Ｌｉ走査線に対して水平方向であり、別の角度をなす方向からジャダが発生することもある。
【００８１】
図３Ｃを参照するに、同図は、中間値を計算する時に用いるピクセルを、それぞれ（１）方向、（２）方向、及び（３）方向に選んだ場合における、選ばれたピクセルを垂直方向に示す図である。
【００８２】
図４Ａないし図４Ｅは、図１のジャダ検出装置７００の分析部３００の動作を詳細に説明するための図である。図４Ａないし図４Ｅは、ノイズによって発生するピクセルのパターンであってジャダパターンと類似のパターンを有し、分析部３００に予め設定される。
ここで、Ｐ１は、ジャダ検出部２００でジャダと判断されていないピクセルであり、Ｐ２は、ジャダ検出部２００でジャダと判断されたピクセルである。
【００８３】
図４Ａないし図４Ｅを参照するに、分析部３００は、ジャダ検出部２００から入力されるジャダ発生判断信号によって、予め設定されたノイズパターンと検出されるジャダのパターンとを比べてジャダが発生したか否かを分析する。詳述すれば、ジャダ検出部２００からジャダ発生判断信号が分析部３００に入力されれば、ジャダ検出部２００で検出されたジャダパターンと類似のパターンと予め設定されたノイズパターンとを比べる。即ち、ジャダ検出部２００で検出されたジャダと類似のパターンが図４Ａないし図４Ｅに示されたパターンと一致するか否かを判断する。
【００８４】
ジャダ検出部２００で検出されたジャダと類似のパターンが予め設定されたノイズパターンと一致する場合、ジャダ検出部２００で検出したジャダと類似のパターンは、入力映像へのノイズの発生によるパターンであって、実質的に映像の動きによってジャダが発生したことではない。従って、ジャダ検出部２００で検出されたジャダと類似のパターンが予め設定されたノイズパターンと一致する場合、分析部３００は、決定部５００にジャダが発生していないという信号を出力するようになる。
【００８５】
図５は、図１のジャダ検出装置７００のパターン検出部４００のブロック図である。同図を参照するに、本発明に係るパターン検出部４００は、第１ないし第５の走査線決定部４０１、４０３、４０５、４０７、４０９と、第１及び第２のカウントト４１１、４１３と、第３及び第４の比較部４１５、４１７と、第２の設定部４５０、及び選択部４２７とを含む。ここで、第２の設定部４５０は、第３の平均値計算部４１９と、第４の平均値計算部４２１と、第４の計算部４２３、及び第５の比較部４２５とを備える。
【００８６】
まず、第１ないし第５の走査線決定部４０１、４０３、４０５、４０７、４０９は、それぞれ順次に入力される２つのフィールドにおける連続する所定個数の走査線を用いて、走査線毎の所定のピクセルが均一なピクセル値を有するか否かを検出する。
【００８７】
第１のカウンター４１１及び第２のカウンター４１３は、第１ないし第５の走査線決定部４０１、４０３、４０５、４０７、４０９での結果を用いて、それぞれ偶数フィールドの走査線と奇数フィールドの走査線毎に同一の走査線にあるピクセル値が、連続するピクセル値と異なるか否かをカウントする。
【００８８】
第３の比較部４１５及び第４の比較部４１７は、第１のカウンター４１１及び第２のカウンター４１３でカウントされた値のそれぞれと第２の閾値と第３の閾値とを比べる。カウントされた値のそれぞれが第２の閾値と第３の閾値より小さい場合、走査線が均一なピクセル値を有すると判断する。
【００８９】
第３の平均値計算部４１９及び第４の平均値計算部４２１は、それぞれ順次に入力される二つのフィールドにおける連続する走査線を用いて、奇数フィールド走査線毎に選ばれるピクセル値の平均値と偶数フィールド走査線毎に選ばれるピクセル値の平均値をそれぞれ計算する。
【００９０】
第４の計算部４２３は、第３の平均値計算部４１９及び第４の平均値計算部４２１でそれぞれ計算された平均値の差値の絶対値を計算する。即ち、奇数フィールドのピクセル値の平均値と偶数フィールドのピクセル値の平均値との差値の絶対値を計算する。
【００９１】
第５の比較部４２５は、第４の計算部４２３で計算された絶対値と第４の閾値Ｔｈ４とを比べる。絶対値が第４の閾値より大きい場合、第３の平均値計算部４１９及び第４の平均値計算部４２１に使われた入力映像の走査線は、ブラインドパターンを有すると判断することができる。
【００９２】
これは、入力映像がブラインドパターンを有する場合、奇数フィールドの走査線のピクセル値と偶数フィールドの走査線のピクセル値との差が所定値を超えるためである。従って、第５の比較部４２５は、ブラインドパターンを有すると判断できるブラインド判断信号を選択部４２７へ出力する。
【００９３】
選択部４２７は、第３の比較部４１５と、第４の比較部４１７、及び第５の比較部４２５での結果を用いて入力映像にブラインドパターンが存在するか否かを判断する。即ち、第３の比較部４１５及び第４の比較部４１７において第１のカウンター４１１及び第２のカウンター４１３でカウントされた値のそれぞれが第２の閾値及び第３の閾値より小さいと判断された場合、第５の比較部４２５での比較の結果、偶数フィールドの走査線のピクセル値と奇数フィールドの走査線のピクセル値との差が第４の閾値を超える場合にだけ入力映像がブラインドパターンを有すると判断する。
【００９４】
これは、第３の比較部４１５及び第４の比較部４１７でカウントされた値のそれぞれが第２の閾値及び第３の閾値より小さいと判断され、偶数フィールド走査線または奇数フィールド走査線のピクセル値がそれぞれ走査線毎に均一なピクセル値を有するとしても、奇数フィールド走査線のピクセル値と奇数フィールド走査線のピクセル値との間に差が存在しなければ、ブラインドパターンを有すると判断することができないためである。
【００９５】
図６は、図５のパターン検出部４００の第１の走査線決定部４０１のブロック図である。同図を参照するに、本発明に係る第１の走査線決定部４０１は、第１の遅延器４２９と、第２の遅延器４３１と、第５ないし第７の計算部４３３、４３５、４３７、及び第６ないし第８の比較部４３９、４４１、４４３とを含む。
【００９６】
第１の走査線決定部４０１でＬｉ−１走査線が均一なピクセル値を有するか否かを判断するため、第１の遅延器４２９は、Ｌｉ−１走査線の所定のピクセルを遅延させ、第２の遅延器４３１は、第１の遅延器４２９で一度遅延されたピクセルをもう一度遅延させる。
【００９７】
以下では、Ｌｉ−１走査線の所定のピクセルをＳ１、第１の遅延器４２９でピクセルＳ１を一度遅延させたピクセルをＳ２、第２の遅延器４３１において第１の遅延器４２９で遅延されたピクセルＳ２をもう一度遅延させたピクセルＳ３を例に挙げて説明する。
【００９８】
第５ないし第７の計算部４３３、４３５、４３７は、入力されるＬｉ−１走査線の３つのピクセルを用いて３つのピクセル間のピクセル値の差を計算する。第５の計算部４３３は、Ｌｉ−１走査線の所定のピクセルであるＳ１とＳ２のピクセル値の差値の絶対値を計算し、第６の計算部４３５は、ピクセルＳ２とピクセルＳ３のピクセル値の差値の絶対値を計算する。そして、第７の計算部４３７は、ピクセルＳ１とピクセルＳ３のピクセル値の差値の絶対値を計算する。
【００９９】
第６ないし第８の比較部４３９、４４１、４４３は、第５ないし第７の計算部４３７でそれぞれ計算された絶対値と所定値とを比べる。即ち、第６の比較部４３９は、第５の計算部４３３で計算された絶対値と所定値とを比べ、第７の比較部４４１は、第６の計算部４３５で計算された絶対値と所定値とを比べる。そして、第８の比較部４４３は、第７の計算部４３７で計算された絶対値と所定値とを比べる。
【０１００】
第６ないし第８の比較部４３９、４４１、４４３での比較の結果、絶対値が所定値より大きい場合には、Ｌｉ−１走査線の３つのピクセルのピクセル値の差が所定値を超えていて、３つのピクセルが均一なピクセル値を有していないと判断する。
【０１０１】
この６ないし第８の比較部４３９、４４１、４４３での比較の結果は、第１のカウンター４１１へ入力され、第１のカウンター４１１で均一なピクセル値を有しないとカウントされた数は、第３の比較部４１５へ入力される。第３の比較部４１５は、第１のカウンター４１１でカウントされた数と第２の閾値とを比べ、第２の閾値が大きい場合には、Ｌｉ−１走査線が均一なピクセル値を有すると判断する。
【０１０２】
図７は、本発明の一実施形態に係るジャダ検出装置７００を用いたインターレース解除方法を説明するためのフローチャートである。同図を参照するに、まず、入力映像からジャダの発生有無を検出するために、順次に入力される２つのフィールドである偶数フィールド及び奇数フィールドにおける連続する走査線のピクセル値を用いてジャダ発生有無を判断することができる第１の閾値Ｔｈ１を計算する（Ｓ７０１）。
【０１０３】
偶数フィールドにおける連続する走査線の各ピクセル値の平均値及び奇数フィールドにおける連続する走査線の各ピクセル値の平均値を計算する。偶数フィールドにおける所定の走査線から各走査線毎に所定の位置にあるピクセルを選び、選ばれたピクセルの平均値を第１の平均値計算部２１３で計算する。奇数フィールドにおける連続する走査線から各走査線毎に所定の位置にあるピクセルを選び、選ばれたピクセルの平均値を第２の平均値計算部２１５で計算する。
【０１０４】
偶数フィールドから計算された平均値と奇数フィールドから計算された平均値の差値の絶対値を第３の計算部２１７で計算する。この時、計算された絶対値は、入力される２つのフィールドにおいてジャダと判断できないほどの小さいピクセル間の差値であって、第１の閾値Ｔｈ１と決めることができる。
【０１０５】
ここで、第１の閾値Ｔｈ１は、上述したように入力される２つのフィールドを用いて計算することができ、任意の値にて予め設定することもできる。そして、第３の計算部２１７で計算された第１の閾値Ｔｈ１が、ジャダ発生有無を判断するに適合でない大きい値を有するか、小さい値を有する場合、第３の計算部２１７で計算された第１の閾値Ｔｈ１と所定値とを比べ、第１の閾値Ｔｈ１を補正することができる。
【０１０６】
次いで、偶数フィールド及び奇数フィールドの連続する走査線において一定の位置に存在するピクセルを用いてピクセルのジャダ発生有無を判断する（Ｓ７０３）。偶数フィールド及び奇数フィールドの連続する走査線において一定の位置に存在するピクセルを選び、第１の中間値フィルター２０１を用いて選ばれたピクセルの中間値を計算する。
【０１０７】
ここで、連続する走査線において一定の位置に存在するピクセルとしては、各走査線毎に垂直方向に位置するピクセルを選ぶことができる。ジャダの発生する可能性が最も高い方向は、走査線の垂直方向であるため、各走査線毎に垂直方向に位置するピクセルを選ぶ。
【０１０８】
しかし、走査線の垂直方向だけでなく、水平方向、水平方向を基準にして一定の角度をなす位置に存在するピクセルを選ぶことができる。ここで、連続する走査線毎に一定の位置に存在するピクセルは、図３ｂ及び図３ｃを参照して上述した通りである。
【０１０９】
そして、選ばれるピクセルの数は任意の数である。しかし、図２及び図３ａを参照して上述したように、奇数個のピクセルを用いるのが第１の計算部２０３で計算する上で容易である。
【０１１０】
そして、水平方向に連続する走査線のうち中間に位置する走査線から選ばれたピクセルのピクセル値と第１の中間値フィルター２０１で計算された中間値との差値の絶対値を、第１の計算部２０３で計算する。例えば、連続する３本の走査線を選んだ場合、２番目走査線のピクセル値と計算された絶対値と第１の閾値Ｔｈ１を比べ、２番目走査線のピクセルがジャダと類似のパターンを有するか否かを判断する。この時、第１の閾値Ｔｈ１は、Ｓ７０１ステップで計算された値であればよく、予め設定されて第１の比較部２０５に入力される値であってもよい。
【０１１１】
第１の計算部２０３で計算された絶対値が第１の閾値より大きい場合は、連続する走査線のうち中間に位置する走査線から選ばれたピクセルが、他の選ばれたピクセルと異なるピクセル値を有する場合である。従って、この場合は、連続する走査線のうち中間に位置する走査線から選ばれたピクセルには、ジャダと類似のパターンが発生した場合である。
【０１１２】
以下、ピクセルのジャダ発生有無を判断する過程を、入力される２つのフィールドにおける連続する３本の走査線において垂直方向に同一の位置に存在する３つのピクセルを用いる場合を例に挙げて説明する。この時、３つのピクセルを、ｉ−１走査線の所定の位置にあるピクセルであるＬｉ−１、ｉ走査線に位置するピクセルであるＬｉ、ｉ＋１走査線に位置するピクセルであるＬｉ＋１とする。
【０１１３】
連続する走査線において垂直方向に同一の位置に存在する３つのピクセルＬｉ−１、Ｌｉ、Ｌｉ＋１の中間値を計算し、計算された中間値と中間に位置するＬｉのピクセル値との差値の絶対値を計算する。計算された絶対値が、第１の閾値が小さい場合は、Ｌｉピクセルのピクセル値はＬｉ−１ピクセルのピクセル値及びＬｉ＋１ピクセルのピクセル値と類似のピクセル値を有すると判断することができる。従って、Ｌｉピクセルは、ジャダが発生した場合にあたらない。
【０１１４】
一方、計算された絶対値が、第１の閾値が大きい場合は、Ｌｉピクセルのピクセル値はＬｉ−１ピクセルのピクセル値とＬｉ＋１ピクセルのピクセル値と異なるピクセル値を有すると判断することができる。従って、Ｌｉピクセルは、周囲のピクセルと異なるピクセル値を有するピクセルであって、ジャダと類似のパターンが発生したピクセルと判断することができる。
【０１１５】
この時、ジャダは、一般にジャダが発生した領域の周辺に発生するので、ジャダが検出されたピクセルの周囲をジャダが発生したピクセルと判断することができる。従って、ジャダが発生したピクセルの周辺の一定の領域にジャダが発生したと拡張部２２１で判断する。
【０１１６】
次いで、偶数フィールド及び奇数フィールドの連続する走査線において一定の位置に存在するピクセルを用いて検出されたジャダと類似のパターンを分析し、検出されたジャダと類似のパターンが入力映像の動きによって発生したか否かを分析部３００で判断する（Ｓ７０５）。即ち、検出されたジャダパターンがノイズによって発生したか否かを判断する。この時、ノイズによって発生されるパターンは、分析部３００に予め設定されている。ノイズによって発生されるパターンは、図４ａないし図４ｅを参照して上述した通りである。
【０１１７】
予め設定されたノイズによって発生されるパターンと検出されたジャダと類似のパターンとを比べ、両パターンが一致する場合は、ジャダが発生していないと判断する。ノイズによって発生するパターンをジャダと判断する場合、補間部５００は、ジャダが発生したフィールドの補間時にフィールド内の情報を用いて補間を行ってから映像を表示するようになる。この時、ジャダが発生していないにもかかわらずジャダと判断して、順次に入力される２つのフィールドの結合にて出力映像を生成せずに、フィールド内の情報を用いて補間を行うことで映像の画質の劣化を招き得る。
【０１１８】
検出されたジャダパターンと類似のパターンがノイズによって発生していない場合、偶数フィールドの走査線と奇数フィールドの走査線を用いて、入力される２つのフィールドがブラインドパターンを有するか否かを判断することができるブラインド判断信号を生成する（Ｓ７０７）。ここで、ブラインドパターンは、偶数フィールド及び奇数フィールドにおける連続する飛び越し走査線毎に類似のピクセル値を有し、連続する走査線間では異なるピクセル値を有することをいう。この時、生成されるブラインド判断信号は、偶数フィールド及び奇数フィールドにおける連続する走査線間のピクセル値の差が所定値を超える場合である。
【０１１９】
偶数フィールド及び奇数フィールドの連続する走査線において所定の位置に存在するピクセルを用いて、それぞれ偶数フィールドの走査線に存在するピクセルの平均値と奇数フィールドの走査線に存在するピクセルの平均値を計算する。そして、偶数フィールドから計算された平均値と奇数フィールドから計算された平均値との差値の絶対値を計算し、計算された絶対値と所定値である第４の閾値とを比べる。絶対値が第４の閾値より大きい場合、偶数フィールド及び奇数フィールドにおける連続する走査線間にピクセル値の差が大きい場合である。従って、連続する各走査線に位置するピクセルが均一なピクセル値を有すれば、入力される２つのフィールドはブラインドパターンを有すると判断することができる。
【０１２０】
次いで、偶数フィールド及び奇数フィールドの所定の走査線において連続するピクセルを用いて、所定の走査線が均一なピクセル値を有するか否かを検出する（Ｓ７０９）。偶数フィールド及び奇数フィールドにおける所定の走査線のピクセルを遅延させ、遅延されたピクセルを用いて所定の走査線が均一なピクセル値を有するか否かを検出する。この時、所定の走査線が均一なピクセル値を有するか否かの検出時に用いられる連続するピクセルの数は、ピクセルを遅延させる遅延器の数に応じて決める。
【０１２１】
以下では、２つの遅延器にて所定の走査線において連続する３つのピクセルを用いて所定の走査線が均一なピクセル値を有するか否かを検出する場合を例に挙げて説明する。この時、所定の走査線のピクセルをＳ１、Ｓ１が遅延されたピクセルをＳ２、そしてＳ２が遅延されたピクセルをＳ３という。
【０１２２】
ピクセルＳ１とピクセルＳ２、ピクセルＳ２とピクセルＳ３、ピクセルＳ３とピクセルＳ１間のピクセル値の差値の絶対値を計算する。そして、それぞれ計算された絶対値と所定値とを比べ、絶対値が所定値より大きい場合は、３つのピクセルが均一なピクセル値を有していないと判断する。均一なピクセル値を有していないピクセル数をカウントし、カウントされたピクセル数が所定個数以下の場合は、所定の走査線は、該走査線に位置するピクセルが均一なピックセル値を有すると判断する。この時、所定の走査線は、偶数フィールドの走査線及び奇数フィールドの走査線である。
【０１２３】
次いで、Ｓ７０７ステップで生成されたブラインド判断信号によって、Ｓ７０９ステップで検出される均一なピクセル値を有する所定の走査線がブラインドパターンを有するか否かを判断する（Ｓ７１１）。即ち、Ｓ７０９ステップで均一なピクセル値を有する偶数フィールドの走査線及び奇数フィールドの走査線が検出された場合、偶数フィールド走査線の均一なピクセル値と奇数フィールド走査線の均一なピクセル値との差値の絶対値によって入力される２つのフィールドがブラインドパターンを有するか否かを判断する。均一なピクセル値を有する偶数フィールドの走査線及び奇数フィールドの走査線が検出されても、偶数フィールド走査線の均一なピクセル値と奇数フィールド走査線の均一なピクセル値との差値の絶対値が小さい場合、飛び越し走査線毎に均一なピクセル値を有する場合にあたらない。ゆえに、偶数フィールド及び奇数フィールドはブラインドパターンを有すると判断することができない。
【０１２４】
従って、Ｓ７０７ステップで生成されたブラインド判断信号によって、即ち、偶数フィールド走査線の均一なピクセル値と奇数フィールド走査線の均一なピクセル値との差値の絶対値が所定値より大きいか否かによって、順次に入力される２つのフィールドがブラインドパターンを有するか否かを判断する。
【０１２５】
偶数フィールド走査線の均一なピクセル値と奇数フィールド走査線の均一なピクセル値との差値の絶対値が所定値より大きく、偶数フィールドの走査線と奇数フィールドの走査線が均一なピクセル値を有する場合にだけ順次に入力される２つのフィールドがブラインドパターンを有すると判断する。
【０１２６】
次いで、偶数フィールド及び奇数フィールドからブラインドパターンが検出された場合、Ｓ７０５ステップの判断によって検出されたジャダは、ブラインドパターンによって発生したため、決定部５００ではジャダが検出されていないと判断する（Ｓ７１３）。偶数フィールド及び奇数フィールドがブラインドパターンを有する場合、ジャダ検出部２００及び分析部３００は、ブラインドパターンがジャダパターンと類似しているため、偶数フィールド及び奇数フィールドにジャダが発生したと判断することができる。従って、偶数フィールド及び奇数フィールドがブラインドパターンを有する場合、ジャダ検出部２００及び分析部３００がジャダを検出しても、決定部５００ではジャダが発生していないと判断する。
【０１２７】
次いで、偶数フィールド及び奇数フィールドでジャダが発生していないと判断した場合、補間部５００では、偶数フィールド及び奇数フィールドを結合して出力映像を生成する（Ｓ７１９）。そして、Ｓ７０５ステップで分析部３００がジャダ検出部２００で検出されたジャダパターンがノイズによるパターンと一致すると判断した場合、偶数フィールド及び奇数フィールドは映像の動きによってジャダが発生していないため、入力映像をフィルムモードと判断し、偶数フィールド及び奇数フィールドを結合して出力映像を生成する。
【０１２８】
一方、Ｓ７１１ステップで偶数フィールド及び奇数フィールドがブラインドパターンを有していないと判断された場合、ジャダ発生領域では、空間補間を行って出力映像を生成する（Ｓ７１７）。即ち、ジャダが発生した領域では、補間すべきフィールドのフィールド内の情報を用いて補間を行って出力映像を生成する。
【０１２９】
偶数フィールド及び奇数フィールドからジャダが検出されたか、または偶数フィールド及び奇数フィールドがブラインドパターンを有していない場合は、検出されたジャダは映像の動きによって発生したと判断することができる。従って、ジャダが発生したフィールドの領域においても偶数フィールド及び奇数フィールドの結合で出力映像を生成する場合は、映像歪みの発生を防止するために空間補間を行う。
【０１３０】
以上、本発明を、本発明の原理を例示するための好適な実施形態について図示しまた説明したが、本発明は、そのように図示し説明した通りの構成及び作用に限定されるものではない。却って、特許請求の範囲の思想及び範囲を逸脱することなく、本発明に対する種々の変更及び修正が可能であることを当業者であれば容易に理解できるはずである。
【０１３１】
従って、かかる適切なすべての変更及び修正と均等物も本発明の範囲に属するものとみなされるべきである。
【図面の簡単な説明】
【０１３２】
【図１】本発明の一実施形態に係るジャダ検出装置を含むインターレース解除装置のブロック図である。
【図２】図１のジャダ検出装置のジャダ検出部のブロック図である。
【図３Ａ】図１のジャダ検出装置の他のジャダ検出部のブロック図である。
【図３Ｂ】図３Ａのジャダ検出部の動作を説明するための図である。
【図３Ｃ】図３Ａのジャダ検出部の動作を説明するための図である。
【図４Ａ】図１のジャダ検出装置の分析部の動作を説明するための図である。
【図４Ｂ】図１のジャダ検出装置の分析部の動作を説明するための図である。
【図４Ｃ】図１のジャダ検出装置の分析部の動作を説明するための図である。
【図４Ｄ】図１のジャダ検出装置の分析部の動作を説明するための図である。
【図４Ｅ】図１のジャダ検出装置の分析部の動作を説明するための図である。
【図５】図１のジャダ検出装置のパターン検出部のブロック図である。
【図６】図５のパターン検出部の第１の走査線決定部のブロック図である。
【図７】本発明の一実施形態に係るジャダ検出装置を用いるインターレース解除方法を説明するためのフローチャートである。
【符号の説明】
【０１３３】
１００  フィールドメモリ
２００  ジャダ検出部
２０１  第１の中間値フィルター
２０３  第１の計算部
２０５  第１の比較部
３００  分析部
４００  パターン検出部
５００  決定部
６００  補間部
【図１】
2006191601.tif 000003
【図２】
2006191601.tif 000004
【図３Ａ】
2006191601.tif 000005
【図３Ｂ】
2006191601.tif 000006
【図３Ｃ】
2006191601.tif 000007
【図４Ａ】
2006191601.tif 000008
【図４Ｂ】
2006191601.tif 000009
【図４Ｃ】
2006191601.tif 000010
【図４Ｄ】
2006191601.tif 000011
【図４Ｅ】
2006191601.tif 000012
【図５】
2006191601.tif 000013
【図６】
2006191601.tif 000014
【図７】
2006191601.tif 000015